(57)【要約】      （修正有）【課題】複数種類のユニットシャーシに適用可能であり、安価に製造でき、しかも、多品種少ロットかつ短納期に適したシステムラックキャビネットを提供する。【解決手段】システムラックキャビネットは、ユニットシャーシが収納されるケーシング、マウントアングル１６およびマウント金具１８等によって構成されている。ユニットシャーシを収納する際には、マウント金具１８の長孔５２にネジ４４を挿通し、このネジ４４をマウントアングル１６のネジ孔４６に螺合する。また、マウント金具１８のシャーシ側固定部５０をマウントアングル１６の係止部４０に係止させる。そして、マウント金具１８のネジ孔５４にユニットシャーシのネジ孔２６を位置決めし、ネジ孔５４および２６にネジ２４を螺合する。【選択図】図４
2005243672.tif 000002
【特許請求の範囲】
【請求項１】
ユニットシャーシが収納されるケーシング、
上下方向へ一定のピッチで形成された複数のネジ孔を有し、前記ケーシングの内部に固定されるケーシング側固定部と、前記ケーシング側固定部と一体に上下方向へ延びて形成された係止部とを有するマウントアングル、
上下方向へ延びる長孔を有し、前記マウントアングルの前記ケーシング側固定部に重ね合わされるアングル側固定部と、前記ユニットシャーシを固定するためのネジ孔を有し、前記マウントアングルの前記係止部に係止されるシャーシ側固定部とを有するマウント金具、および
前記マウント金具の前記長孔に挿通され、前記マウントアングルの前記ネジ孔のいずれかに螺合されるネジを備える、システムラックキャビネット。
【請求項２】
前記ネジ孔のピッチＰは、前記長孔の長さＬよりも短く設定された、請求項１に記載のシステムラックキャビネット。
【請求項３】
複数の前記マウント金具が前記マウントアングルに対して上下方向へ連続して取り付けられ、最上に位置する前記マウント金具の前記ネジ孔と最下に位置する前記マウント金具の前記ネジ孔とを用いて前記ユニットシャーシがネジ止めされる、請求項１または２に記載のシステムラックキャビネット。
【発明の詳細な説明】
【技術分野】
【０００１】
本発明は、ＬＡＮシステム、インターネットデータセンター、通信用モデム、ホール音響システム、ビデオ編集装置、視聴覚映像システム、監視カメラシステム、生産状況集中管理システム、ＮＣ加工機制御システム、試験検査装置、気象観測装置、各種計測システムおよび生産管理情報記録システム等の機器を収納するためのシステムラックキャビネットに関する。
【背景技術】
【０００２】
従来のシステムラックキャビネットの一例が、特開平８−１９９７２号公報（特許文献１）に開示されている。この従来技術は、４本の柱のそれぞれに複数のネジ孔を上下方向へ一定のピッチで形成し、このネジ孔に螺合されるネジによって、棚板（本願発明の「ユニットシャーシ」に相当する。）をラックに取り付けるようにしたものである。この従来技術では、構造が簡単なために安価に製造できるという利点があるものの、ネジ孔が形成された柱を取り替えることはできなかったので、ネジ孔のピッチをＪＩＳ規格の棚板に合わせて設定した場合には、これをＥＩＡ規格の棚板に適用することができず、また、その逆もできなかった。
【０００３】
そこで、最近では、図９に示すように、アルミサッシからなるマウントレール１の溝２に、ＪＩＳ規格のユニットシャーシ３に対応するバーナット４またはＥＩＡ規格のユニットシャーシ３に対応するバーナット４を選択的に装着するようにしたシステムラックキャビネット５が用いられている。
【特許文献１】特開平８−１９９７２号公報（［００１２］、図１参照）
【発明の開示】
【発明が解決しようとする課題】
【０００４】
従来のシステムラックキャビネット５（図９）では、バーナット４を取り替えることによって、ＪＩＳ規格およびＥＩＡ規格の２種類のユニットシャーシ３に適用できるものの、「型」で造られるアルミサッシ製のマウントレール１を用いていたので、製造コストが高くなるという問題があった。また、大量生産には適するものの、多品種少ロットかつ短納期のフレキシブルな生産には向かないという問題もあった。さらに、溝２の内側にバーナット４を配置していたので、バーナット４の着脱が困難であるという問題もあった。
【０００５】
それゆえに、この発明の主たる目的は、複数種類のユニットシャーシに適用可能であり、安価に製造でき、しかも、多品種少ロットかつ短納期に適したシステムラックキャビネットを提供することである。
【課題を解決するための手段】
【０００６】
請求項１に記載した発明は、「ユニットシャーシ１２が収納されるケーシング１４、上下方向へ一定のピッチで形成された複数のネジ孔４６を有し、ケーシング１４の内部に固定されるケーシング側固定部３８と、ケーシング側固定部３８と一体に上下方向へ延びて形成された係止部４０とを有するマウントアングル１６、上下方向へ延びる長孔５２を有し、マウントアングル１６のケーシング側固定部３８に重ね合わされるアングル側固定部４８と、ユニットシャーシ１２を固定するためのネジ孔５４を有し、マウントアングル１６の係止部４０に係止されるシャーシ側固定部５０とを有するマウント金具１８、およびマウント金具１８の長孔５２に挿通され、マウントアングル１６のネジ孔４６のいずれかに螺合されるネジ４４を備える、システムラックキャビネット１０」である。
【０００７】
この発明では、マウント金具１８の長孔５２にネジ４４を挿通し、このネジ４４をマウントアングル１６のネジ孔４６に螺合することによって、マウント金具１８がマウントアングル１６に取り付けられる。このとき、マウント金具１８のシャーシ側固定部５０がマウントアングル１６の係止部４０に係止されるので、１つのネジ４４だけでマウント金具１８を固定することができる。したがって、マウント金具１８の着脱は容易であり、また、マウント金具１８を交換することによって、１つのシステムラックキャビネット１０を複数種類のユニットシャーシ１２に適用することができる。
【０００８】
請求項２に記載した発明は、請求項１に記載した「システムラックキャビネット１０」において、「ネジ孔４６のピッチＰは、長孔５２の長さＬよりも短く設定された」ことを特徴とする。
【０００９】
この発明では、ネジ孔４６のピッチＰが長孔５２の長さＬよりも短く設定されているので、少なくとも１つのネジ孔４６と長孔５２とが必ず重なることになり、マウントアングル１６に対してマウント金具１８を高さ調整しながら確実にネジ止めできる。
【００１０】
請求項３に記載した発明は、請求項１または２に記載した「システムラックキャビネット１０」において、「複数のマウント金具１８がマウントアングル１６に対して上下方向へ連続して取り付けられ、最上に位置するマウント金具１８のネジ孔５４と最下に位置するマウント金具１８のネジ孔５４とを用いてユニットシャーシ１２がネジ止めされる」ことを特徴とする。
【００１１】
この発明では、複数のマウント金具１８がマウントアングル１６に対して上下方向へ連続して取り付けられるので、一つのマウント金具１８が位置決めされれば、他のマウント金具１８も必然的に位置決めされることになる。したがって、マウントアングル１６に対してマウント金具１８を容易に位置決めできる。
【発明の効果】
【００１２】
この発明によれば、マウント金具のシャーシ側固定部がマウントアングルの係止部に係止され、かつ、マウント金具の長孔に挿通されたネジがマウントアングルのネジ孔に螺合されるので、１つのネジだけでマウント金具を容易に固定することができる。したがって、アルミサッシ製のマウントレールは不要であり、簡単な構成で安価に製造できる。また、マウント金具を交換するだけで、１つのシステムラックキャビネットを複数種類のユニットシャーシに適用することができる。
【発明を実施するための最良の形態】
【００１３】
図１〜図３を参照して、本発明が適用されたシステムラックキャビネット１０は、ユニットシャーシ１２が収納されるケーシング１４、ケーシング１４の内部に配設された２本のマウントアングル１６、マウントアングル１６に対してユニットシャーシ１２を取り付けるマウント金具１８等によって構成されている。
【００１４】
ユニットシャーシ１２は、ＬＡＮシステム、インターネットデータセンター、通信用モデムまたはホール音響システム等の機器が収容されたシャーシ本体２０を有し、シャーシ本体２０の前部には、前面パネル２２が取り付けられている。また、前面パネル２２の幅方向両端部は、シャーシ本体２０の側面から側方へ突出して形成されており、この突出部には、ネジ２４が挿通されるネジ孔２６が形成されている。ユニットシャーシ１２の規格には、インチ単位のＥＩＡ規格（図６）とミリ単位のＪＩＳ規格（図８）とが存在するが、この実施例では、システムラックキャビネット１０をＥＩＡ規格のユニットシャーシ１２（図６）に適用した場合について説明する。
【００１５】
ケーシング１４は、図１〜図３に示すように、４本の支柱２８、底板３０、天板３２および側板３４等によって筐体状に構成されており、ケーシング１４の前面開口部Ａおよび後面開口部Ｂには、蓋体３６が着脱自在に装着されている。    そして、ケーシング１４の前面開口部Ａの両側部内面には、マウントアングル１６が配設されている。
【００１６】
各マウントアングル１６は、図４に示すように、ケーシング１４の内部において支柱２８に固定される長尺板状のケーシング側固定部３８と、ケーシング側固定部３８の幅方向一方端部から垂直に立ち上がって上下方向へ延びて形成された長尺板状の係止部４０と、ケーシング側固定部３８の幅方向他方端部から垂直に立ち上がって形成された長尺板状の補強部４２とによって断面略コ状に形成されており、ケーシング側固定部３８には、ネジ４４が螺合される複数のネジ孔４６が上下方向へ一定のピッチＰで形成されている。
【００１７】
マウント金具１８は、図３〜図５に示すように、マウントアングル１６のケーシング側固定部３８に重ね合わされる板状のアングル側固定部４８と、マウントアングル１６の係止部４０に重ね合わされて係止されるシャーシ側固定部５０とによって断面略Ｌ状に形成されている。そして、アングル側固定部４８には、上下方向へ延びる長孔５２が形成されており、シャーシ側固定部５０には、ユニットシャーシ１２を固定するための３つのネジ孔５４が上下方向へ間隔を隔てて形成されている。
【００１８】
シャーシ側固定部５０の上端面は、アングル側固定部４８およびコーナ部Ｃの上端面より上方へ突出して水平に形成されており、シャーシ側固定部５０の下端面は、アングル側固定部４８およびコーナ部Ｃの下端面より下方へ突出して水平に形成されており、シャーシ側固定部５０においてマウント金具１８の高さが規定されている。したがって、鉄板等のような金属板を折り曲げてマウント金具１８を形成した場合でも、コーナ部Ｃに生じた不所望な出っ張りの影響を受けることがなく、上下方向へ連続して配置された２つのマウント金具１８をシャーシ側固定部５０の上端面または下端面において確実に密着させることができる。
【００１９】
また、長孔５２の位置は、マウントアングル１６に対してマウント金具１８を位置決めした際に、マウントアングル１６のいずれかのネジ孔４６と連通するように設定されており、長孔５２の長さＬは、ネジ孔４６のピッチＰよりも長く設定されている。つまり、ネジ孔４６のピッチＰは、長孔５２の長さＬよりも短く設定されている。たとえば、長孔５２の長さＬが３５ｍｍであれば、ネジ孔４６のピッチＰは３５ｍｍよりも短く設定され、安全性を考慮すると、２５ｍｍ以下に設定されることが望ましい。
【００２０】
そして、マウント金具１８は、高さの異なる複数種類のユニットシャーシ１２に対して適用可能であり、たとえば、最も低いユニットシャーシ１２に対しては、図６（Ａ）に示すように、マウントアングル１６の片側に１つのマウント金具１８が取り付けられ、それよりも高いユニットシャーシ１２に対しては、図６（Ｂ）に示すように、マウントアングル１６の片側に複数のマウント金具１８が取り付けられる。そして、複数のマウント金具１８が取り付けられる場合には、各マウント金具１８が上下方向へ連続して配置され、最上に位置するマウント金具１８のネジ孔５４と最下に位置するマウント金具１８のネジ孔５４とにユニットシャーシ１２のネジ孔２６が位置決めされ、ネジ孔２６および５４にネジ２４が螺合されることによって、ユニットシャーシ１２がネジ止めされる。なお、マウント金具１８が３個以上用いられる場合には、中間に位置するマウント金具１８が「スペーサ」として機能することになる。
【００２１】
システムラックキャビネット１０にユニットシャーシ１２を収容する際には、まず、図４に示すように、マウント金具１８をマウントアングル１６に取り付ける。つまり、マウントアングル１６の所定高さにマウント金具１８を位置決めし、マウント金具１８の長孔５２にネジ４４を挿通し、このネジ４４をマウントアングル１６のネジ孔４６に螺合する。１つのネジ４４を用いてマウント金具１８をマウントアングル１６に取り付けた状態では、ネジ４４がマウント金具１８の回転軸となるが、マウント金具１８のシャーシ側固定部５０がマウントアングル１６の係止部４０に係止されているので、マウント金具１８が回転することはない。したがって、１つのネジ４４だけでマウント金具１８を簡単かつ確実に固定することができる。また、マウントアングル１６に対して複数のマウント金具１８を上下方向へ連続して取り付ける場合（図６（Ｂ））には、連続する２つのマウント金具１８がシャーシ側固定部５０の上端面または下端面において接触されるので、１つのマウント金具１８を位置決めした後は、他のマウント金具１８を容易に位置決めできる。
【００２２】
マウントアングル１６に対するマウント金具１８の取り付けが完了すると、ケーシング１４の前面開口部Ａからその内部にユニットシャーシ１２を収納し、ユニットシャーシ１２の前面パネル２２をマウント金具１８のシャーシ側固定部５０に当接させるとともに、ユニットシャーシ１２のネジ孔２６とマウント金具１８のいずれかのネジ孔５４とを連通させる。そして、ネジ孔２６および５４にネジ２４をねじ込んで、ユニットシャーシ１２をマウント金具１８にネジ止めする。
【００２３】
なお、上述の実施例では、システムラックキャビネット１０をＥＩＡ規格のユニットシャーシ（図６）に適用した場合について説明したが、システムラックキャビネット１０は、図７に示すようなマウント金具５６を用いることによって、図８に示すようなＪＩＳ規格のユニットシャーシ５８にも適用可能であり、マウント金具１８（図５）および５６（図７）を併用することによって、両規格を混在させることも可能である。ＪＩＳ規格のマウント金具５６（図７）では、シャーシ側固定部６０の高さ、ネジ孔６２の数や位置等がＪＩＳ規格のユニットシャーシ５８（図８）に適合するように設定されるが、その使用方法は、ＥＩＡ規格のマウント金具１８（図５）と同じである。
【図面の簡単な説明】
【００２４】
【図１】システムラックキャビネットを示す斜視図である。
【図２】システムラックキャビネットを示す断面図である。
【図３】システムラックキャビネットを示す拡大断面図である。
【図４】マウント金具の取付構造を示す分解斜視図である。
【図５】マウント金具（ＥＩＡ規格対応）を示す斜視図である。
【図６】ＥＩＡ規格のユニットシャーシを示す正面図である。
【図７】マウント金具（ＪＩＳ規格対応）を示す斜視図である。
【図８】ＪＩＳ規格のユニットシャーシを示す正面図である。
【図９】従来のシステムラックキャビネットを示す拡大断面図である。
【符号の説明】
【００２５】
１０…  システムラックキャビネット
１２…  ユニットシャーシ
１４…  ケーシング
１６…  マウントアングル
１８…  マウント金具
３８…  ケーシング側固定部
４０…  係止部
４４…  ネジ
４６…  ネジ孔
４８…  アングル側固定部
５０…  シャーシ側固定部
５２…  長孔
５４…  ネジ孔
【図１】
2005243672.tif 000003
【図２】
2005243672.tif 000004
【図３】
2005243672.tif 000005
【図４】
2005243672.tif 000006
【図５】
2005243672.tif 000007
【図６】
2005243672.tif 000008
【図７】
2005243672.tif 000009
【図８】
2005243672.tif 000010
【図９】
2005243672.tif 000011
【手続補正書】
【提出日】平成16年2月24日(2004.2.24)
【手続補正１】
【補正対象書類名】図面
【補正対象項目名】図３
【補正方法】変更
【補正の内容】
【図３】
2005243672.tif 000012